(57)【要約】【課題】ユーザの選局操作に要する手間を省き、操作性を向上する。【解決手段】デジタル放送受信装置１００は、ジャンル情報取得手段１１１が視聴中の番組のジャンルを取得し、電子番組表情報取得手段１１２が全放送波について、各放送波に含まれる電子番組表情報を取得して、番組リスト生成手段１１３が同じジャンルの番組のリスト（番組リスト１０３）を生成し、操作検知手段１１４がユーザの番組切り替え操作を検知した場合に、番組切り替え手段１１５が生成したリストに基づいて同じジャンルの別番組へと視聴中の番組を変更する。【選択図】図３
2010062922.tif 000002
【特許請求の範囲】
【請求項１】
視聴中の番組のジャンルを取得し、
全放送波について、電子番組表情報を取得して、同じジャンルの番組のリストを生成し、
ユーザの番組切り替え操作を検知した場合に、生成したリストに基づいて同じジャンルの別番組へと視聴中の番組を変更する、
テレビ放送受信装置。
【請求項２】
視聴中の番組が属するジャンルに係るジャンル情報を取得するジャンル情報取得手段と、
全放送波について、電子番組表を構成するための情報を取得する電子番組表情報取得手段と、
取得した電子番組表情報に基づいて、前記ジャンル情報を有する番組のリストを生成する番組リスト生成手段と、
ユーザによる番組切り替え操作を検知する操作検知手段と、
前記番組切り替え操作が検知された場合に、前記リスト中の他の番組に、視聴する番組を切り替える番組切り替え手段と、
を備えることを特徴とする、テレビ放送受信装置。
【請求項３】
前記電子番組表情報取得手段は、情報取得時に視聴可能な番組の全放送波について、電子番組表情報を取得することを特徴とする、請求項２記載のテレビ放送受信装置。
【請求項４】
番組が属するジャンルのリストであるジャンルリストを記憶するジャンルリスト記憶手段を備え、
前記操作検知手段は、ユーザによるジャンル切り替え操作を検知し、
前記番組切り替え手段は、前記ジャンル切り替え操作が検知された場合に、前記ジャンルリスト中の前記ジャンル情報を除いた他のジャンルの番組に、視聴する番組を切り替えることを特徴とする、請求項２又は３記載のテレビ放送受信装置。
【請求項５】
視聴中の番組が属するジャンルに係るジャンル情報を取得するジャンル情報取得工程と、
全放送波について、電子番組表を構成するための情報を取得する電子番組表情報取得工程と、
取得した電子番組表情報に基づいて、前記ジャンル情報を有する番組のリストを生成する番組リスト生成工程と、
ユーザによる番組切り替え操作を検知する操作検知工程と、
前記番組切り替え操作が検知された場合に、前記リスト中の他の番組に、視聴する番組を切り替える番組切り替え工程と、
を含むことを特徴とする、テレビ放送受信装置の制御方法。
【請求項６】
テレビ放送受信装置を、
視聴中の番組が属するジャンルに係るジャンル情報を取得するジャンル情報取得手段と、
全放送波について、電子番組表を構成するための情報を取得する電子番組表情報取得手段と、
取得した電子番組表情報に基づいて、前記ジャンル情報を有する番組のリストを生成する番組リスト生成手段と、
ユーザによる番組切り替え操作を検知する操作検知手段と、
前記番組切り替え操作が検知された場合に、前記リスト中の他の番組に、視聴する番組を切り替える番組切り替え手段と、
として機能させることを特徴とする、プログラム。
【発明の詳細な説明】
【技術分野】
【０００１】
本発明は、テレビ放送受信装置、その制御方法及びプログラムに関し、特に、ユーザ操作性の改善に関する。
【背景技術】
【０００２】
地上デジタル放送などの放送分野においては、番組に関する情報である番組情報を放送波に含めて放送し、受信機側で電子番組表の構成を行うことがよく行われている。放送受信装置における選局制御に関連する技術としては、例えば、特許文献１に記載のものがある。特許文献１は、放送される全ての番組を対象として、番組が属する番組ジャンル（以下、単に「ジャンル」という）によって組み分けし、組み分けされたジャンル別の番組表を表示することを開示している。
【特許文献１】特開２００１−０７８１０７号公報
【発明の開示】
【発明が解決しようとする課題】
【０００３】
現在、テレビ放送受信装置の技術分野においては、地上デジタル放送、ＢＳデジタル放送、ＣＳデジタル放送など、多チャンネル化が進んでいる。そのため、録画でなくライブで放送を視聴する際、多数のチャンネルから目当てのチャンネルを探すことに、非常に手間が掛かるのが現状である。
【０００４】
一方で、ユーザのニーズとしては、自分が現在視聴中の番組と似た傾向の番組をザッピングしながら見たい、というものがある。しかしながら、現状では、グラフィカル・ユーザ・インターフェース（以下、ＧＵＩという）に番組リストを表示させ、ユーザがそこから番組を選択して選局を行っている。ユーザが目的のチャンネルにたどり着くまでに手間が掛かっている。
【０００５】
そこで本発明は、上記実情に鑑みて、ユーザの選局操作に要する手間を省き、操作性を向上することを目的とする。
【課題を解決するための手段】
【０００６】
上記目的を達成するために本発明は、以下の構成を備える。
【０００７】
本発明に係るテレビ放送受信装置は、視聴中の番組が属するジャンルに係るジャンル情報を取得するジャンル情報取得手段と、全放送波について、電子番組表を構成するための情報を取得する電子番組表情報取得手段と、取得した電子番組表情報に基づいて、前記ジャンル情報を有する番組のリストを生成する番組リスト生成手段と、ユーザによる番組切り替え操作を検知する操作検知手段と、前記番組切り替え操作が検知された場合に、前記リスト中の他の番組に、視聴する番組を切り替える番組切り替え手段と、を備えることを特徴とする。
【０００８】
本発明に係るテレビ放送受信装置の制御方法は、視聴中の番組が属するジャンルに係るジャンル情報を取得するジャンル情報取得工程と、全放送波について、電子番組表を構成するための情報を取得する電子番組表情報取得工程と、取得した電子番組表情報に基づいて、前記ジャンル情報を有する番組のリストを生成する番組リスト生成工程と、ユーザによる番組切り替え操作を検知する操作検知工程と、前記番組切り替え操作が検知された場合に、前記リスト中の他の番組に、視聴する番組を切り替える番組切り替え工程と、を含むことを特徴とする。
【０００９】
本発明に係るプログラムは、テレビ放送受信装置を、視聴中の番組が属するジャンルに係るジャンル情報を取得するジャンル情報取得手段と、全放送波について、電子番組表を構成するための情報を取得する電子番組表情報取得手段と、取得した電子番組表情報に基づいて、前記ジャンル情報を有する番組のリストを生成する番組リスト生成手段と、ユーザによる番組切り替え操作を検知する操作検知手段と、前記番組切り替え操作が検知された場合に、前記リスト中の他の番組に、視聴する番組を切り替える番組切り替え手段と、として機能させることを特徴とする。
【発明の効果】
【００１０】
本発明によれば、ユーザの選局操作に要する手間を省き、操作性を向上することが可能となる。
【発明を実施するための最良の形態】
【００１１】
以下、本発明による一実施の形態として、本発明をデジタル放送受信装置に適用したものを図面を参照して説明する。
図１は、本実施形態のハードウェア構成例を示すブロック図である。図１において、デジタル放送受信装置１００は、制御部１０１と、ジャンルデータベース１０２と、番組リスト１０３と、チューナ制御部１０４と、チューナ１０５と、ＧＵＩ制御部１０６と、を有する構成である。
【００１２】
制御部１０１は、デジタル放送受信装置１００全体の制御を行い、他に例えば、ＥＰＧデータ２００の入力を受けてＥＰＧデータ２００を解析し、ＥＰＧデータ２００に含まれるジャンルに関する情報からジャンルデータベース１０２を構築する処理もしてもよい。なお、制御部１０１の提供する各機能（図３を参照して後述）は、図示しない演算装置や一時記憶装置等のハードウェアと、これらを利用するソフトウェアとの協働により実現する。
【００１３】
ジャンルデータベース１０２は、各番組が属するジャンルのリストを含むデータベースである。あらかじめ決められた静的な構成であってもよいし、随時取得したＥＰＧデータ２００から動的に構築する構成であってもよい。番組リスト１０３は、ユーザが現在視聴中の番組と同じジャンルの番組のリストである。
【００１４】
チューナ制御部１０４は、制御部１０１の制御を受けてチューナ１０５を制御する機能を有し、ＧＵＩ制御部１０６は、制御部１０１の制御を受けてユーザによる操作入力に対する処理結果等をオーバーレイでモニタ１０７に表示する機能を有する。
【００１５】
また、デジタル放送受信装置１００は、デジタル放送受信装置１００からの映像出力を表示するモニタ１０７や、ユーザによる操作入力を受け付けてデジタル放送受信装置１００に送信するリモートコントローラ（以下、「リモコン」と略す）１０８を外部に有する。
【００１６】
また、デジタル放送受信装置１００は、電子番組表を構成するための情報であるＥＰＧデータ２００を処理して、種々の目的に利用する。ＥＰＧデータ２００は、放送中の番組と共にデジタル放送の各放送波に含まれ、番組が属するジャンルに係るジャンル情報を含む。ジャンルとしては、例えば、ニュース、バラエティ、スポーツ等があり、大ジャンルがさらに小ジャンルに分かれる階層構造になっていてもよい。なお、ＥＰＧデータ２００の取得については、デジタル放送の放送波に含まれるものから取得するほかに、配信サーバ等から取得してもよい。
【００１７】
リモコン１０８の構成例を図２に示す。本実施形態において、リモコン１０８は、通常のチャンネルボタンやボリュームコントロール等の他に、他チャンネルボタン１０８ａと他ジャンルボタン１０８ｂを備える。他チャンネルボタン１０８ａは、ユーザがこれを押下することで、制御部１０１に番組切り替え操作を行ったことを伝えるためのものである。他ジャンルボタン１０８ｂは、ユーザがこれを押下することで、制御部１０１にジャンル切り替え操作を行ったことを伝えるためのものである。
【００１８】
次に、制御部１０１の機能構成を説明する。図３は、本実施形態の機能構成を示すブロック図である。制御部１０１は、ジャンル情報取得手段１１１と、電子番組表情報取得手段１１２と、番組リスト生成手段１１３と、操作検知手段１１４と、番組切り替え手段１１５と、を有する構成である。
【００１９】
ジャンル情報取得手段１１１は、視聴中の番組のジャンルを取得する機能を備える（視聴中の番組のジャンルを以下、「ジャンル情報」と呼ぶことがある）。すなわち、チューナ１０４からユーザが現在視聴している番組が何かという情報を得て、ＥＰＧデータ２００を取得した電子番組表情報取得手段１１２等から、ジャンル情報を取得する。取得したジャンル情報は、番組リスト生成手段１１３が利用する。
【００２０】
電子番組表情報取得手段１１２は、ＥＰＧデータ２００を放送波をまたぎ取得する機能を有する。ここで、放送波をまたいでＥＰＧデータを取得するとは、具体的には、図１に例示したように、地上デジタル、ＢＳデジタル等が受信可能な場合にこれらの全ての放送波のＥＰＧデータを取得することである。番組リスト生成手段１１３は、取得したＥＰＧデータ２００の中から、視聴中の番組のジャンルと同じジャンルの番組を抽出して、番組リスト１０３を生成する。
【００２１】
ここで、ＥＰＧデータ２００を取得し、番組リスト１０３を生成する一連の処理は、ジャンル情報取得手段１１１がジャンル情報を取得したことをトリガにして、直後に実行されることが好ましい。番組リスト１０３が更新されることによって、現在視聴可能な番組のリストを即時的にユーザに提供することができる。
【００２２】
操作検知手段１１４は、リモコン１０８からの操作入力を検知する手段である。本実施形態では、図２を参照して説明した番組切り替え操作やジャンル切り替え操作を検知する。
【００２３】
番組切り替え手段１１５は、操作検知手段１１４により番組切り替え操作が検知された場合に、番組リスト１０３中の他の番組に、視聴する番組を切り替える機能を有する。また、番組切り替え手段１１５は、操作検知手段１１４によりジャンル切り替え操作が検知された場合に、ジャンルデータベース１０２に問い合わせて、ジャンルデータベース１０２中にあるジャンルであって、視聴中の番組のジャンルを除いた他のジャンルの番組に、視聴する番組を切り替える。
【００２４】
次に、本実施形態の処理の流れを、図４及び図５を参照しながら説明する。
図４は、本実施形態の番組切り替え操作後の処理の流れを示すフローチャートである。なお、図４に示す処理の流れは、一例であって、本発明はこれに限定されるものではなく、主旨を逸脱しない限り種々の変形が可能である。
【００２５】
図４において、操作検知手段１１４がユーザによる他チャンネルボタン１０８ａの押下を検知する（ステップＳ１０１）と、ジャンル情報取得手段１１１が現在ユーザが視聴している番組のジャンル情報を取得する（ステップＳ１０２）。そして、電子番組表情報取得手段１１２が取得したＥＰＧデータ２００に基づいて、番組リスト生成手段１１３が、同ジャンルの番組のリストである番組リスト１０３を生成（更新）する（ステップＳ１０３）。
【００２６】
次に、番組切り替え手段１１５がステップＳ１０４〜１１０の処理を行う。すなわち、まず、番組リストの総数を取得する（ステップＳ１０４）ことによって、リストに次の番組（チャンネル）が存在するか否かを調べ（ステップＳ１０５）、存在する場合に次の番組に視聴する番組を切り替える（ステップＳ１０６）。ない場合は、番組リスト１０３にリストアップされている番組の総数を調べ（ステップＳ１０８）、１以上の場合、すなわち、現在視聴している番組が番組リストの最後のエントリであった場合、番組リスト先頭の番組に切り替える（ステップＳ１０９）。
【００２７】
番組を切り替える場合、チューナ制御部１０４を制御してチャンネルを切り替える一方、ＧＵＩ制御部１０６を制御して、ＧＵＩに、例えば、「ｎ／ｘ：ジャンル名」（ただし、ｎは番組の項番、ｘは番組の総数）という表示をするとよい（ステップＳ１０７）。ユーザにとって自分の行った操作に対して装置が反応しているのか否か明瞭に分かるようになるというメリットがある。
【００２８】
番組リストの総数が１の場合は、ＧＵＩに、例えば、「他の番組はありません：ジャンル名」という表示をするとよい（ステップＳ１１０）。ステップＳ１０７のメリットと同様の効果がある。
【００２９】
次に、ジャンル切り替え操作後の処理の流れを図５のフローチャートに示し、説明する。なお、図５に示す処理の流れは、一例であって、本発明はこれに限定されるものではなく、主旨を逸脱しない限り種々の変形が可能である。
【００３０】
図５において、操作検知手段１１４がユーザによる他ジャンルボタン１０８ｂの押下を検知する（ステップＳ２０１）と、ジャンル情報取得手段１１１が現在ユーザが視聴している番組のジャンル情報を取得する（ステップＳ２０２）。そして、番組切り替え手段１１５がジャンルデータベース１０２に問い合わせをして、ジャンルの種類がいくつあるか、次のジャンルは何か、等の情報を得る（ステップＳ２０３）。
【００３１】
番組切り替え手段１１５は、得た情報から次のジャンルが存在するか否かを判断して（ステップＳ２０４）、存在する場合は次のジャンルに切り替え（ステップＳ２０５）、存在しない場合は先頭のジャンルに切り替える（ステップＳ２０６）。
【００３２】
ジャンルが切り替わったあと、電子番組表情報取得手段１１２が取得したＥＰＧデータ２００に基づいて、番組リスト生成手段１１３が、同ジャンルの番組のリストである番組リスト１０３を生成（更新）する（ステップＳ２０７）。
【００３３】
次に、番組切り替え手段１１５が番組リスト１０３にリストアップされている番組の総数を調べ（ステップＳ２０８）、番組リストの総数が１より多い場合は（ステップＳ２０９）、番組リスト１０３の先頭の番組に切り替える（ステップＳ２１０）。番組リストのエントリが０だった場合、すなわち、番組リストの総数が０の場合（ステップＳ２０９）、次のジャンルを探す処理に戻る。
【００３４】
番組を切り替える場合、チューナ制御部１０４を制御して番組を切り替える一方、ＧＵＩ制御部１０６を制御して、ＧＵＩに、例えば、「ｎ／ｘ：ジャンル名」（ただし、ｎは番組の項番、ｘは番組の総数）という表示をするとよい（ステップＳ２１１）。ユーザにとって自分の行った操作に対して装置が反応しているのか否か明瞭に分かるようになるというメリットがある。
【００３５】
本実施形態は、以上のような流れの処理をするため、ユーザの選局操作に要する手間を省き、操作性を向上することが可能になる。本実施形態によれば、ユーザリモコンのボタンを次々と押していくような簡単な操作で、番組を切り替えさせることができ、あたかもトグルスイッチを切り替えるような感覚の番組切り替え操作を提供することができる。したがって、本実施形態によれば、ユーザは迅速に見たい番組、目当ての番組にたどり着けることになる。
【００３６】
また、本実施形態は、ユーザが現在見ている番組のジャンルに応じた処理をするため、自分が現在視聴中の番組と似た傾向の番組をザッピングしながら見たいというようなニーズに適切に応えることができる。また、本実施形態は、電子番組表を構成するための情報に関して、ユーザによる操作があったときに視聴可能な番組の情報を集めるため、見られるはずもない番組の画面を表示するというようなことがない。
【００３７】
以上、本発明の好適な実施の形態について説明したが、本発明はこれに限定されるものではなく、要旨を逸脱しない範囲内で種々の変形実施が可能である。
【図面の簡単な説明】
【００３８】
【図１】本発明による実施形態のハードウェア構成例を示すブロック図である。
【図２】本発明による実施形態のリモートコントローラの構成例を示す図である。
【図３】本発明による実施形態の機能構成を示すブロック図である。
【図４】本発明による実施形態の処理の流れを示すフローチャート（その１）である。
【図５】本発明による実施形態の処理の流れを示すフローチャート（その２）である。
【符号の説明】
【００３９】
１００    デジタル放送受信装置
１０１    制御部
１０２    ジャンルデータベース
１０３    番組リスト
１０４    チューナ制御部
１０５    チューナ
１０６    ＧＵＩ制御部
１０７    モニタ
１０８    リモコン
１０８ａ    他チャンネルボタン
１０８ｂ    他ジャンルボタン
１１１    ジャンル情報取得手段
１１２    電子番組表情報取得手段
１１３    番組リスト生成手段
１１４    操作検知手段
１１５    番組切り替え手段
２００    ＥＰＧデータ
【図１】
2010062922.tif 000003
【図２】
2010062922.tif 000004
【図３】
2010062922.tif 000005
【図４】
2010062922.tif 000006
【図５】
2010062922.tif 000007